【手続補正書】
【提出日】平成17年6月20日(2005.6.20)
【手続補正１】
【補正対象書類名】明細書
【補正対象項目名】特許請求の範囲
【補正方法】変更
【補正の内容】
【特許請求の範囲】
【請求項１】
式
【化１】
2000086657.tif 000001
式中、
Ｘは水素又はハロゲン原子を表わし、
Ｒ1は水素原子又は低級アルキル基を表わし、
Ｒ2は水素原子、低級アルキル基、アラルキル基、有機スルホニル基又は
【化２】
2000086657.tif 000002
を表わし、ここでＲ3は水素原子又は有機残基を表わし、Ｙは酸素又は硫黄原子を表わ  し、Ｗは直接結合、酸素原子又は−ＮＨ−を表わす、
ただし、Ｘが水素原子であるとき、Ｒ1及びＲ2は同時に水素原子を表わさないものとす  る、
で示される５−アミノイソキサゾール誘導体又はその塩。
【請求項２】
Ｘが水素原子、４−フルオロ基又は３−クロロ基を表わす請求項１に記載の５−アミノイソキサゾール誘導体又はその塩。
【請求項３】
Ｘが４−フルオロ基又は３−クロロ基を表わし、且つＲ1及びＲ2が共に水素原子を表わす請求項１に記載の５−アミノイソキサゾール誘導体又はその塩。
【請求項４】
Ｒ1が水素原子を表わす請求項１に記載の５−アミノイソキサゾール誘導体又はその塩。
【請求項５】
Ｒ2が
【化３】
2000086657.tif 000003
を表わす請求項１に記載の５−アミノイソキサゾール誘導体又はその塩。
【請求項６】
Ｒ3で表される有機残基が、場合によりハロゲン原子、ヒドロキシ基、低級アルコキシ基、低級アルカノイルオキシ基、アリールカルボニルオキシ基、アリールオキシ基、メルカプト基、低級アルキルチオ基、低級アルカノイルチオ基、アリールカルボニルチオ基、アリールチオ基、アミノ基、低級アルキルアミノ基、ジ低級アルキルアミノ基、低級アルカノイルアミノ基、アリールカルボニルアミノ基、アラルキルオキシカルボニルアミノ基、低級アルコキシカルボニルアミノ基、Ｎ−低級アルキル−Ｎ−低級アルコキシカルボニルアミノ基、グアニジノ基、カルボキシ基、低級アルコキシカルボニル基、アラルキルオキシカルボニル基、カルバモイル基、低級アルキルカルボニル基、アリールカルボニル基、シクロアルキル基、アリール基（このアリール基は場合によりハロゲン原子、低級アルキル基、ハロゲン化低級アルキル基、低級アルコキシ基、低級アルキレンジオキシ基、ヒドロキシ基、低級アルカノイルオキシ基、アミノ基、低級アルキルアミノ基、ジ低級アルキルアミノ基、低級アルカノイルアミノ基、アラルキルオキシカルボニルアミノ基、低級アルコキシカルボニルアミノ基及びニトロ基から選ばれる１〜３個の置換基で置換されていてもよい）並びにＮ、Ｓ及びＯから選ばれるヘテロ原子を１もしくは２個含有し且つ一つの環が５もしくは６員環であって、ベンゼン環と縮合していてもよい単環式もしくは二環式の飽和もしくは不飽和複素環式基（この複素環式基は場合によりハロゲン原子、低級アルキル基、低級アルコキシ基及びニトロ基から選ばれる１もしくは２個の置換基で置換されていてもよい）から選ばれる１〜３個の置換基で置換されていてもよいアルキル基；場合により低級アルキル基、ヒドロキシ基、低級アルコキシ基、低級アルカノイルオキシ基、カルボキシ基、低級アルコキシカルボニル基及びオキソ基から選ばれる１もしくは２個の置換基で置換されていてもよいシクロアルキル基；
場合によりハロゲン原子、低級アルキル基、低級アルコキシ基、低級アルキレンジオキシ基、ヒドロキシ基、低級アルカノイルオキシ基、アミノ基、低級アルキルアミノ基、ジ低級アルキルアミノ基、低級アルカノイルアミノ基及びニトロ基から選ばれる１〜３個の置換基で置換されていてもよいアリール基；
１個のアラルキルオキシカルボニル基又は低級アルコキシカルボニル基で置換されていてもよく、Ｎ及びＯから選ばれるヘテロ原子を１又は２個含有し且つ一つの環が５もしくは６員環であって、ベンゼン環と縮合していてもよい単環式もしくは二環式の飽和もしくは不飽和複素環式基；
場合によりヒドロキシ基、低級アルコキシ基、アミノ基、低級アルキルアミノ基又はアリール基（このアリール基は場合によりハロゲン原子、低級アルキル基、ハロゲン化低級アルキル基、低級アルコキシ基、ヒドロキシ基、低級アルカノイルオキシ基、アミノ基、低級アルコキシカルボニルアミノ基及びニトロ基から選ばれる置換基で置換されていてもよい）で置換されていてもよい低級アルキルオキシカルボニル基；或いは
場合によりハロゲン原子、低級アルキル基、低級アルコキシ基、ヒドロキシ基、アミノ基、低級アルコキシカルボニルアミノ基又はニトロ基で置換されていてもよいフェニルカルボニル基を表わす請求項５に記載の５−アミノイソキサゾール誘導体又はその塩。
【請求項７】
アルキル基が、場合によりヒドロキシ基、低級アルコキシ基、低級アルカノイルオキシ基、アリールオキシ基、アミノ基、低級アルキルアミノ基、ジ低級アルキルアミノ基、アラルキルオキシカルボニルアミノ基、低級アルコキシカルボニルアミノ基、Ｎ−低級アルキル−Ｎ−低級アルコキシカルボニルアミノ基、カルボキシ基、低級アルコキシカルボニル基、低級シクロアルキル基、アリール基（このアリール基は場合によりハロゲン原子、低級アルキル基、ハロゲン化低級アルキル基、低級アルコキシ基、ヒドロキシ基、低級アルカノイルオキシ基、アミノ基、低級アルコキシカルボニルアミノ基及びニトロ基から選ばれる１もしくは２個の置換基で置換されていてもよい）並びにＮ及びＳから選ばれるヘテロ原子を１個含有し且つ一つの環が５員環であって、ベンゼン環と縮合していてもよい単環式もしくは二環式の不飽和複素環式基（この複素環式基は場合により低級アルキル基で置換されていてもよい）から選ばれる１もしくは２個の置換基で置換されていてもよい低級アルキル基である請求項６に記載の５−アミノイソキサゾール誘導体又はその塩。
【請求項８】
シクロアルキル基又はアリール基が、未置換で炭素原子数が５〜７個のシクロアルキル基又は未置換で炭素原子数が６〜１０個のアリール基を表わす請求項６に記載の５−アミノイソキサゾール誘導体又はその塩。
【請求項９】
低級アルキルオキシカルボニル基又はフェニルカルボニル基が、それぞれ未置換の低級アルコキシカルボニル基又は未置換のフェニルカルボニル基を表わす請求項６に記載の５−アミノイソキサゾール誘導体又はその塩。
【請求項１０】
Ｙが酸素原子を表わし且つＷが直接結合を表わす請求項１に記載の５−アミノイソキサゾール誘導体又はその塩。
【請求項１１】
請求項１に記載の式（Ｉ）の５−アミノイソキサゾール誘導体又はその塩を有効成分として含有することを特徴とするＰ３８ＭＡＰキナーゼ阻害剤。
【請求項１２】
請求項１に記載の式（Ｉ）の５−アミノイソキサゾール誘導体又はその塩を有効成分として含有することを特徴とする腫瘍壊死因子−α関連疾患、インターロイキン−１関連疾患、インターロイキン−６関連疾患又はシクロオキシゲナーゼＩＩ関連疾患の処置剤。
【請求項１３】
腫瘍壊死因子−α関連疾患、インターロイキン−１関連疾患、インターロイキン−６関連疾患又はシクロオキシゲナーゼＩＩ関連疾患が、慢性関節リウマチ、悪液質、急性感染症、急性炎症、慢性炎症、悪性腫瘍、自己免疫疾患、糖尿病、乾癬、クローン病、ＡＩＤＳ、虚血性心疾患、脳血管障害、髄膜炎、結核、多発性大脳硬化症、敗血症、ＤＩＣ、多発性骨髄腫、キャッスルマン病、メサンギウム細胞増殖性腎炎、大腸ポリープ又は結腸癌である請求項１２に記載の処置剤。